(57)【要約】【課題】  本発明は、縦長で横幅の狭い複数枚の木製部材から成り、引き込み空間を引き戸閉じ限位置の側方周壁に設け、走行レールは直線部と湾曲部から成り、片引き戸又は両引き戸が上下各一本のレール上を連動開閉出来る構造の引き戸装置を提供することにある。【解決手段】  本発明の引き戸装置は、細幅・縦長の板材からなり、該板材中の横断方向に連結ワイヤー用穴の加工された多数枚の木製部材Ｍを連結ワイヤー１により多数枚並列に連結すると共に組み付けて引き戸部材Ｗを構成し、前記木製部材Ｍの一つ置きに上端に吊り下げ走行ローラー７及び隣接する木製部材を支承する高さ安定金具１２を、下端に走行ローラー８及び隣接する木製部材を支持する高さ安定金具１２を取り付け、出入口の開口部の上下に取り付けた直線部レール及び湾曲部レール上を走行させるものである。【選択図】  図１
2005344351.tif 000002
【特許請求の範囲】
【請求項１】
細幅・縦長の板材からなり、該板材中の横断方向に連結ワイヤー用穴を加工した多数枚の木製部材と、同一の細幅・縦長の板材からなり、前記連結ワイヤー用穴と同位置に圧縮バネの入る調整用穴を加工した引き戸端部材と、前記木製部材を連結ワイヤーにより多数枚並列に連結すると共に、前記引き戸端部材の調整用穴に配置した調整スクリューの取り付けられた連結ワイヤーと圧縮バネを調整ナットで組み付けて引き戸部材を構成し、前記木製部材の一つ置きに上端に吊り下げ走行ローラー及び隣接する木製部材を支承する高さ安定金具を、下端に走行ローラー及び隣接する木製部材を支持する高さ安定金具を取り付け、出入口の開口部の上下に取り付けた直線部レール及び湾曲部レール上を走行させることを特徴とする引き戸装置。
【請求項２】
細幅・縦長の板材からなり、該板材中の横断方向に連結ワイヤー用穴を加工した多数枚の木製部材と、同一の細幅・縦長の板材からなり、前記連結ワイヤー用穴と同位置に圧縮バネの入る調整用穴を加工した引き戸端部材と、前記木製部材を連結ワイヤーにより多数枚並列に連結すると共に、前記引き戸端部材の調整用穴に配置した調整スクリューの取り付けられた連結ワイヤーと圧縮バネを調整ナットで組み付けて引き戸部材を構成し、二枚の引き戸部材を上下各一本のレール上で１本の開閉連動ワイヤーと引張バネで連結し、それぞれの引き戸部材に一点づつ固定し、二段のガイドプーリーとエンドプーリーでガイドし直線部レールと湾曲部レールを走行させることを特徴とする引き戸装置。
【発明の詳細な説明】
【技術分野】
【０００１】
本発明は、屋内の引き戸の設置が困難である幅の狭い出入口、回転開き戸では種々の不便を強いられている奥行きの狭い出入口、又は車椅子利用者が利用する出入口に活用出来る引き戸装置に関するものである。
【背景技術】
【０００２】
木造住宅において、引き戸は１枚板構造と成っているため、引き込み空間が閉じ限位置の延長方向と限られていたので、引き戸設置には引き戸の直線方向に引き込み空間を確保出来ないと十分な開口幅が得られることが出来なかった。（特許文献１、２を参照）
又、回転開き戸は開閉揺動空間が出来るため、狭い場所での利用には窮屈な態勢を強いられる等、種々の悪影響を伴うことになっていた。
更に、車椅子利用者は引き戸、回転開き戸の開閉動作には大きな負担が強いられていた。
【特許文献１】実開平２−７１７９６号公報
【特許文献２】実開平５−９６３７５号公報
【発明の開示】
【発明が解決しようとする課題】
【０００３】
本発明は、縦長で横幅の狭い複数枚の木製部材から成り、引き込み空間を引き戸閉じ限位置の側方周壁に設け、走行レールは直線部と湾曲部から成り、片引き戸又は両引き戸が上下各一本のレール上を連動開閉出来る構造の引き戸装置を提供することにある。
【課題を解決するための手段】
【０００４】
本発明の引き戸装置は、細幅・縦長の板材からなり、該板材中の横断方向に連結ワイヤー用穴の加工された多数枚の木製部材と、同一の細幅・縦長の板材からなり、前記連結ワイヤー用穴と同位置に圧縮バネの入る調整用穴を加工した引き戸端部材と、前記木製部材を連結ワイヤーにより多数枚並列に連結すると共に、前記引き戸端部材の調整用穴に配置した調整スクリューの取り付けられた連結ワイヤーと圧縮バネを調整ナットで組み付けて引き戸部材を構成し、前記木製部材の一つ置きに上端に吊り下げ走行ローラー及び隣接する木製部材を支承する高さ安定金具を、下端に走行ローラー及び隣接する木製部材を支持する高さ安定金具を取り付け、出入口の開口部の上下に取り付けた直線部レール及び湾曲部レール上を走行させるものである。
また、本発明の引き戸装置は、細幅・縦長の板材からなり、該板材中の横断方向に連結ワイヤー用穴を加工した多数枚の木製部材と、同一の細幅・縦長の板材からなり、前記連結ワイヤー用穴と同位置に圧縮バネの入る調整用穴を加工した引き戸端部材と、前記木製部材を連結ワイヤーにより多数枚並列に連結すると共に、前記引き戸端部材の調整用穴に配置した調整スクリューの取り付けられた連結ワイヤーと圧縮バネを調整ナットで組み付けて引き戸部材を構成し、二枚の引き戸部材を上下各一本のレール上で１本の開閉連動ワイヤーと引張バネで連結し、それぞれの引き戸部材に一点づつ固定し、二段のガイドプーリーとエンドプーリーでガイドし直線部レールと湾曲部レールを走行させるものである。
【発明の効果】
【０００５】
本発明の請求項１に記載の構成によれば、構造簡単な複数枚の横幅の狭い木製部材の連結による引き戸部材であり、開口幅に合わせた部材数と連結ワイヤーの長さで引き戸部材の幅を簡単に変えることが出来るため広範囲の開口部に設置が容易であり、湾曲部では木製部材の接触面を変形さね加工されているため反対側の明り、温度は遮ることが出来る。
すべての木製部材に走行ローラー取り付けしないためコストが安く出来、木製部材の一つ置きに上下の走行ローラーと各部材高さを一定させる高さ安定金具を取り付けるため、湾曲部での引き戸部材の走行が円滑に出来る。
【０００６】
又、本発明の請求項２に記載の構成によれば、開口幅の広い廊下等には左右の引き戸部材の引き込み部を側方周壁に設け開閉連動引き戸を設置することにより、車椅子使用者等が利用幅半分の片側一方の開閉操作で利用が出来、下側走行レールも床面に埋設されバリアフリーとして病院、福祉施設等に活用が出来る。
【発明を実施するための最良の形態】
【０００７】
本発明の引き戸装置の実施形態を添付図に基づいて、以下に説明すると、
図１の（１ａ）の一部断面正面図、（１ｂ）のＡ−Ａ線断面図に示すように、木製部材Ｍは縦長で横幅の狭い板材からなり、前記木製部材Ｍの横断面中心に連結ワイヤー１用の貫通穴を加工する。
引き戸端部材Ｎは同一の縦長で横幅の狭い板材からなり、前記引き戸端部材Ｎは前記連結ワイヤー１用の貫通穴と同位置に圧縮バネ２が十分伸縮出来る大径の調整用穴を加工する。
図２に示すように、前記木製部材Ｍ同士が接する面は変形さね加工を施し、さらに前記木製部材Ｍ同士が接する湾曲内側になる角部の面取り加工をする。
図１の（１ａ）の一部断面正面図に示すように、連結ワイヤー１の端部に調整スクリュー３をスリーブ４で取り付け、引き戸端部材Ｎの調整用穴に調整スクリュー３と圧縮バネ２を座金５、調整ナット６で組み付け、並列に並べた木製部材Ｍに連結ワイヤー１を通して引き戸部材Ｗに組み立てる。
すなわち、図２に示すように、引き戸部材Ｗを湾曲部で円滑に走行させるため横幅の狭い複数枚の木製部材Ｍにし、前記木製部材Ｍの横断面中心に連結ワイヤー１用の貫通穴を加工し、引き戸端部材Ｎには木製部材Ｍが湾曲部で円滑に走行出来、又閉じ限位置で各木製部材Ｍ同士に隙間が出るのを防止するの圧縮バネ２が十分に伸縮出来る調整用穴も加工する。
又、各木製部材Ｍ同士が接する面は引き戸部材Ｗが湾曲部で円滑に走行出来、各木製部材Ｍ同士間からの明りの漏れを防止するために変形さね加工を施し、木製部材Ｍが湾曲内側になる角部は引き戸部材Ｗが湾曲部で円滑に走行出来るために面取り加工をする。
さらに、走行レール１１、１１ａ上に設置される引き戸部材Ｗが湾曲部で円滑に走行出来るように調整スクリュー３の調整ナット６で圧縮バネ２の圧力を調整し、調整後引き戸端部材Ｎには保護部材２０を取り付けネジ２１で取り付け、圧縮バネ２、調整スクリュー３を囲い保護する。
【０００８】
更に、図１の（１ｂ）のＡ−Ａ線断面図に示すように、木製部材Ｍの上部に吊り下げ走行ローラー７をローラー金具３３で取り付け、木製部材Ｍの下部は浮動出来る走行ローラー８の軸９をねじりコイルバネ１０で常にレール面に接するようにし、走行レール１１、１１ａ上下間の距離に変化が生じても引き戸部材Ｗが円滑に動くように取り付けられる。
各ローラー７、８は引き戸端部材Ｎから一つ置きに取り付け、各ローラー取り付け部材上下小口面には全ての部材高さを一定にする高さ安定金具１２が取り付けられる。
すなわち、木製部材Ｍの上部に吊り下げ走行ローラー７をローラー金具３３で取り付け、木製部材Ｍの下部は走行ローラー８が浮動できる溝を加工し、木製部材Ｍが上下走行レール１１、１１ａ間の高さに変化が生じても揺れ等を防止出来るよう、走行ローラー８の軸９をねじりコイルバネ１０で常に走行レール１１ａ面に接するように取り付ける。
【０００９】
図２に示すように、引き戸部材Ｗの引き込み部を引き戸閉じ限位置の側方周壁に設け、走行レール１１、１１ａを閉じ限位置後方から湾曲して引き込み方向上下に取り付けられる。
走行レール１１、１１ａ上に設置される引き戸部材Ｗは、閉じ限位置では直線面と湾曲面に成り、湾曲面と引き込み方向壁面には空間が出来、その空間位置に垂直支軸１３を支点にリンク機構と手動で回転することの出来る回転遮蔽板１４を取り付け、湾曲面と壁面に出来る空間の隙間を回転遮蔽板１４の回転で閉塞させる。
又、閉じ限位置の湾曲面と引き込み方向壁面に出来る空間の隙間の明り、温度を回転遮蔽板１４で遮ることが出来、従来の引き戸と同様の効果が得られる。
また、回転開き戸の使用されていた狭い場所での設置では、開閉揺動空間を確保する必要が無く、利用者の窮屈な態勢を強いる等の悪影響から開放され、開閉揺動空間であった場所が有効に活用が出来できる。
更に、引き戸部材Ｗの全開放時には回転遮蔽板１４を壁側開放方向に回転することにより開口幅を有効に活用出来る。
回転開き戸から本発明の引き戸部材への改築も上下の走行レール１１、１１ａの設置、回転遮蔽板１４の取り付けで容易に活用が出来る。
【００１０】
すなわち、図３ａ・図３ｂで示す引き戸部材Ｗと側方周壁との空間位置に上下垂直支軸１３を支点に回転することの出来る回転遮蔽板１４を取り付け、引き戸部材Ｗの引き戸端部材Ｎに取り付けられたフック２２が引き戸部材Ｗの全閉に近づくとリンク２３のローラー２４を引張バネ２９に逆らって引き戸部材Ｗ側に押し、図６に示す位置のリンク２３のローラー２４ａが回転遮蔽板１４のカム２５を押すので、回転遮蔽板１４は上下垂直支軸１３を支点に回転して引き戸部材Ｗの湾曲面に当り引き戸部材Ｗと側方周壁に出来る空間の隙間を図２のように閉塞し引き戸部材Ｗの表裏の明り、温度を遮ることが出来る。
【００１１】
図４に示すように、二枚の引き戸部材Ｗを直線部、湾曲部上下に取り付けられたそれぞれ一本の走行レール１１、１１ａ上に設置し、一本の開閉連動ワイヤー１５の端部をそれぞれ引張バネ１６に連結して前記開閉連動ワイヤー１５は張力で常時張られ、二枚の引き戸部材Ｗの引手３２上部にそれぞれＥ点１７・Ｆ点１７ａにガイドプーリー１８、１８ａ（図示せず）の高さ位置に二段に固定する（図８を参照）。
湾曲部内側上部に二段のガイドプーリー１８、１８ａ（図示せず）を二箇所に取り付け、Ｅ点１７に固定の開閉連動ワイヤー１５は下段ガイドプーリー１８ａ（図示せず）で、Ｆ点１７ａに固定の開閉連動ワイヤー１５は上段ガイドプーリー１８でガイドされ、二枚の引き戸部材Ｗの引き込み方向にエンドプーリー１９を取り付け、前記開閉連動ワイヤー１５は引き戸部材Ｗの開閉時にエンドプーリー１９で上段・下段にそれぞれ入れ替わる連動開閉引き戸とする構成である。
前記開閉連動ワイヤー１５を二段にし、湾曲部内側にガイドプーリー１８、１８ａ（図示せず）を二箇所に取り付けることにより二枚の引き戸部材Ｗは湾曲部で円滑に走行する事が出来る。
【００１２】
図５ａ・図５ｂで示すように、引き戸部材Ｗの開放時、引き戸部材Ｗの開放と同時にフック２２はリンク２３のローラー２４から離れ、引張バネ２９の張力によりリンク２３が戻り、ローラー２４ａが回転遮蔽板１４のカム２５を押すので、回転遮蔽板１４上部に組み込まれたボール２６が圧縮バネ２７の圧力により受け溝２８に入る。
それにより図４で示すように、引き戸部材Ｗと回転遮蔽板１４間に相互が接触しない間隔が出来、引き戸部材Ｗの開放作動時に回転遮蔽板１４との接触を防止出来る。
【００１３】
図７ａ・図７ｂで示すように、引き戸部材Ｗの全開放時、回転遮蔽板１４を引き込み方向壁側に手動で回転させると回転遮蔽板１４上部のボール２６は圧縮バネ２７の圧力により受け溝２８ａに入っているので回転遮蔽板１４は全開放状態で固定される。
リンク２３は引張バネ２９の張力により戻り、伸縮ロッド３０が伸びると共にストッパ３１で止る。
それにより図６で示すように、開口幅は木製部材Ｍの厚さ１．５倍位を除いた幅が活用出来、大型の物品の移動には有効で、又夏場などの全開放状態での景観も違和感無く日常生活が出来る。
【００１４】
図８は連動両引き戸の開閉連動ワイヤー１５・ガイドプーリー１８、１８ａ・エンドプーリー１９の平面図である。
【００１５】
尚、片引き戸と使用設置する場合は、両引き戸の片側のみを使用し、開閉連動ワイヤー１５・ガイドプーリー１８、１８ａ・エンドプーリー１９を構成しないものとする。
【００１６】
図９の（９ａ）に示すように、改築前の開き戸設置トイレの平面図であり、小便室から大便室への出入が回転開き戸の開閉揺動空間が少なかったため不便を強いられていた。
図９の（９ｂ）は、袖壁に取り付けられていた回転開き戸を取り外し、下側に走行レール１１aを引き戸閉じ限位置から側方周壁の引き込み方向に湾曲して埋設し、上側には下側と同位置の走行レール１１を組み込まれた鴨居を取り付け、本発明の引き戸部材Ｗを設置することで改築され、回転遮蔽板１４は袖壁と引き戸湾曲面の間隔を最小限にすることにより設置を必要としない。
【００１７】
前述のように、本発明の引き戸装置は走行レール１１，１１aに設置された二枚の引き戸部材Ｗに連動開閉ワイヤー１５をそれぞれの引手３２部材上部に固定し、ガイドプーリー１８、１８ａ、エンドプーリー１９は湾曲部内側の鴨居に取り付け、連動開閉ワイヤー１５を各ガイドプーリー１８、１８ａにガイドさせ両端部を引張ばね１６に連結し、引き戸湾曲面と引き戸引き込み方向壁面に出来た空間に回転遮蔽板１４とリンク機構２３，２４を取り付け連動両引き戸が出来る。
引き戸部材Ｗには連結ワイヤー１の位置を避けた場所を格子状に切り抜き透明部材を取り付けし、光の入る形状にし廊下の明るさを確保出来る。
又、夏など間仕切りとして必要としない時は、図６に示すように開放し従来と同様の廊下として利用出来る。
【図面の簡単な説明】
【００１８】
【図１】（１ａ）は引き戸部材の一部断面正面図、（１ｂ）はＡ−Ａ線断面図である。
【図２】連動両引き戸全閉時の平面図である。
【図３】（３ａ）は引き戸全閉時のリンク機構部の平面図、（３ｂ）はＢ−Ｂ線拡大断面図である。
【図４】連動両引き戸開放時の平面図である。
【図５】（５ａ）は引き戸開放時のリンク機構部の平面図、（５ｂ）はＣ−Ｃ線拡大断面図である。
【図６】連動両引き戸全開放時の平面図である。
【図７】（７ａ）は引き戸全開放時のリンク機構部の平面図、（７ｂ）はＤ−Ｄ線拡大断面図である。
【図８】連動両引き戸の開閉連動ワイヤー・引張バネ・ガイドプーリー・エンドプーリー配置の平面図である。
【図９】（９ａ）はトイレ改築前の平面図、（９ｂ）はトイレ改築後の平面図である。
【符号の説明】
【００１９】
１      連結ワイヤー
２      圧縮バネ
３      調整スクリュー
４      スリーブ
５      座金
６      調整ナット
７      吊り下げ走行ローラー
８      走行ローラー
９      軸
１０    ねじりコイルバネ
１１、１１ａ  走行レール
１２    高さ安定金具
１３    垂直支軸
１４    回転遮蔽板
１５    開閉連動ワイヤー
１６    引張バネ
１７    Ｅ点
１７ａ  Ｆ点
１８、１８ａ  ガイドプーリー
１９    エンドプーリー
２０    保護部材
２１    取り付けネジ
２２    フック
２３    スリーブ
２４、２４ａ  ローラー
２５    カム
２６    ボール
２７    圧縮バネ
２８、２８ａ  受け溝
２９    引張バネ
３０    伸縮ロッド
３１    ストッパ
３２    引手
３３    ローラー金具
【図１】
2005344351.tif 000003
【図２】
2005344351.tif 000004
【図３】
2005344351.tif 000005
【図４】
2005344351.tif 000006
【図５】
2005344351.tif 000007
【図６】
2005344351.tif 000008
【図７】
2005344351.tif 000009
【図８】
2005344351.tif 000010
【図９】
2005344351.tif 000011